(57)【要約】本発明は、移動体から受信したデータの検索が可能なストレージ・ネットワーク・システムを提供する。ストレージ・ネットワーク・システム１００は、移動体２０の進行経路１０に沿って配置された複数のデータ回収ストレージ３０〜３６であって、各データ回収ストレージは、移動体から受信したＤＡＴＡレコードを保管し、当該ＤＡＴＡレコードの受信に応じてストレージＩＤを含むＡＣＫレコードを移動体に送信する、複数のデータ回収ストレージと、通信ネットワーク４０を介して複数のデータ回収ストレージと通信可能なユーザ・ストレージ６０、６２であって、ＡＣＫレコードを受信し、当該受信したＡＣＫレコード中のストレージＩＤを用いて特定された少なくとも１つのデータ回収ストレージから、少なくとも１つのＤＡＴＡレコードを受信して保管することができるユーザ・ストレージと、を備える。
2013094275.tif 000002
【特許請求の範囲】
【請求項１】
ストレージ・ネットワーク・システムであって、
移動体の進行経路に沿って配置された複数のデータ回収ストレージであって、各データ回収ストレージは、前記移動体から受信したＤＡＴＡレコードを保管し、当該ＤＡＴＡレコードの受信に応じてストレージＩＤを含むＡＣＫレコードを前記移動体に送信する、複数のデータ回収ストレージと、
通信ネットワークを介して前記複数のデータ回収ストレージと通信可能なユーザ・ストレージであって、前記ＡＣＫレコードを受信し、当該受信した前記ＡＣＫレコード中の前記ストレージＩＤを用いて特定された少なくとも１つのデータ回収ストレージから、少なくとも１つの前記ＤＡＴＡレコードを受信して保管することができるユーザ・ストレージと、を備えるストレージ・ネットワーク・システム。
【請求項２】
前記通信ネットワークは、前記複数のデータ回収ストレージおよび前記ユーザ・ストレージと通信可能な複数のクラウド・ストレージであって、各クラウド・ストレージは、前記複数のデータ回収ストレージの少なくとも１つから受信した前記ＤＡＴＡレコードを保管し、当該保管した前記ＤＡＴＡレコードを他のクラウド・ストレージ間で相互に送受信することができる、複数のクラウド・ストレージを含む、請求項１のストレージ・ネットワーク・システム。
【請求項３】
前記移動体は、前記ＤＡＴＡレコードと前記ＡＣＫレコードとを保管するローカル・ストレージを備え、当該ローカル・ストレージは、前記ストレージ・ネットワーク・システムの一部として機能する、請求項１または２のストレージ・ネットワーク・システム。
【請求項４】
前記複数のデータ回収ストレージは、前記移動体から、前記ローカル・ストレージに保管された前記ＡＣＫレコードを前記ＤＡＴＡレコードと共にあるいは単独に受信して保管する、請求項３のストレージ・ネットワーク・システム。
【請求項５】
隣接する前記複数のデータ回収ストレージの各々は、前記移動体から、一連のデータの一部となる前記ＤＡＴＡレコードを受信する、請求項１のストレージ・ネットワーク・システム。
【請求項６】
前記ＤＡＴＡレコードは、データマーカと、移動体ＩＤと、データと、データの生成位置と、データの生成時刻とについての情報を含み、
前記ＡＣＫレコードは、前記ストレージＩＤの他に、ＡＣＫマーカと、データの生成位置と、データの生成時刻とについての情報を含む、請求項１〜５のいずれか１項のストレージ・ネットワーク・システム。
【請求項７】
前記ユーザ・ストレージは、前記複数のデータ回収ストレージから、選択した前記移動体ＩＤ、前記データの生成位置、および前記データの生成時刻についての情報のいずれか１つを含む全ての前記ＤＡＴＡレコードを受信する、請求項６のストレージ・ネットワーク・システム。
【請求項８】
前記複数のデータ回収ストレージの各々は、無線通信可能な前記移動体が停止あるいは所定の速度以下で移動中に前記ＤＡＴＡレコードおよび前記ＡＣＫレコードの少なくとも一方または双方を受信する、請求項４のストレージ・ネットワーク・システム。
【発明の詳細な説明】
【技術分野】
【０００１】
本発明は、ストレージ・ネットワーク・システムに関し、より具体的には、移動体から受信したデータの検索が可能なストレージ・ネットワーク・システムに関する。
【背景技術】
【０００２】
センサを備える携帯端末や車両等の移動体では、センサが検出したセンサデータを時系列に記憶装置（ストレージ）に保管する必要がある。そのセンサデータは移動体の移動にともない増大するので、有限な記憶容量のストレージではその全てを保管することは難しい。また、特定のストレージのみに全てのセンサデータを保管すると、ストレージの不具合等の原因によりその全てのセンサデータが失われてしまう恐れもある。そのそのため、従来からストレージに保管するセンサデータの取捨選択、あるいは外部のストレージへのデータ移管（送信）などがおこなわれている。【０００３】
公開特許公報の特開2000-41957は、健康管理者が端末装置に近づいた時に、健康測定機器を識別するための情報とともに健康測定機器で測定した健康データが自動的に端末装置に転送される健康管理システムを開示する。その健康管理システムでは、多数の端末装置が公衆回線に接続されており、任意の端末装置により健康測定機器に格納されている健康データが引き出され、健康管理者の通常使用している端末装置（ホームポジションにある端末装置）に測定されたデータが転送される。
【先行技術文献】
【特許文献】
【０００４】
【特許文献１】特開2000-41957号公報
【発明の概要】
【発明が解決しようとする課題】
【０００５】
特許文献１のシステムでは、健康管理者のホームポジションにある端末装置に自動的に健康データが転送されるものであって、ユーザが１つの端末装置を利用して他の端末装置に保管されたデータの中から必要となるデータを検索して選択的に取得することはできない。【０００６】
したがって、本発明の目的は、移動体で取得したデータを移動体の移動と共に逐次外部のストレージに保管しつつ、後から各ストレージに保管されたデータの中から必要なデータを検索して選択的に取得することができるストレージ・ネットワーク・システムを提供することである。
【課題を解決するための手段】
【０００７】
本発明は、ストレージ・ネットワーク・システムを提供する。そのシステムは、移動体の進行経路に沿って配置された複数のデータ回収ストレージであって、各データ回収ストレージは、移動体から受信したＤＡＴＡレコードを保管し、当該ＤＡＴＡレコードの受信に応じてストレージＩＤを含むＡＣＫレコードを移動体に送信する、複数のデータ回収ストレージと、通信ネットワークを介して複数のデータ回収ストレージと通信可能なユーザ・ストレージであって、ＡＣＫレコードを受信し、当該受信したＡＣＫレコード中のストレージＩＤを用いて特定された少なくとも１つのデータ回収ストレージから、少なくとも１つのＤＡＴＡレコードを受信して保管することができるユーザ・ストレージと、を備える。【０００８】
本発明によれば、移動体で取得したデータを移動体の移動と共に外部の複数のデータ回収ストレージに保管しつつ、後からユーザが各データ回収ストレージに保管されたデータの中から必要なデータを選択的に取得することができる。【０００９】
本発明の一態様では、通信ネットワークは、複数のデータ回収ストレージおよびユーザ・ストレージと通信可能な複数のクラウド・ストレージであって、各クラウド・ストレージは、複数のデータ回収ストレージの少なくとも１つから受信したＤＡＴＡレコードを保管し、当該保管したＤＡＴＡレコードを他のクラウド・ストレージ間で相互に送受信することができる、複数のクラウド・ストレージを含む。【００１０】
本発明の一態様によれば、ユーザが通信ネットワーク上の少なくとも１つのクラウド・ストレージと通信するだけで、複数のデータ回収ストレージに保管されたデータ中から選択的に必要なデータを取得することが可能となる。【００１１】
本発明の一態様では、移動体は、ＤＡＴＡレコードとＡＣＫレコードとを保管するローカル・ストレージを備え、当該ローカル・ストレージは、ストレージ・ネットワーク・システムの一部として機能する。【００１２】
本発明の一態様によれば、移動体は、送信したＤＡＴＡレコードがデータ回収ストレージに保管されたことを示す記録（ログ）を逐次保管しながら移動することが可能となる。【００１３】
本発明の一態様では、複数のデータ回収ストレージは、移動体から、ローカル・ストレージに保管されたＡＣＫレコードをＤＡＴＡレコードと共にあるいは単独に受信して保管する。【００１４】
本発明の一態様によれば、データ回収ストレージがＤＡＴＡレコードのみならずＡＣＫレコードをも保管することにより、移動体のローカル・ストレージでのＤＡＴＡレコードおよびＡＣＫレコードの保管量を軽減させることが可能となる。【００１５】
本発明の一態様では、隣接する複数のデータ回収ストレージの各々は、移動体から、一連のデータの一部となるＤＡＴＡレコードを受信する。【００１６】
本発明の一態様によれば、一連のデータを複数のデータ回収ストレージに分散して保管することができるので、移動体内のストレージあるいは一部のデータ回収ストレージに不具合等があってデータの一部が損失してしまう事態においても、その損失による被害を小さく抑えることができ、データの保護を維持、促進することが可能となる。【００１７】
本発明の一態様では、ＤＡＴＡレコードは、データマーカと、移動体ＩＤと、データと、データの生成位置と、データの生成時刻とに関する情報を含み、ＡＣＫレコードは、ストレージＩＤの他に、ＡＣＫマーカと、データの生成位置と、データの生成時刻とに関する情報を含む。【００１８】
本発明の一態様では、ユーザ・ストレージは、複数のデータ回収ストレージから、選択した移動体ＩＤ、データの生成位置、およびデータの生成時刻に関する情報のいずれか１つを含む全てのＤＡＴＡレコードを受信する。【００１９】
本発明の一態様によれば、複数のデータ回収ストレージから特定のパラメータに係る全てのデータを選択的に回収することができる。【００２０】
本発明の一態様では、複数のデータ回収ストレージの各々は、無線通信可能な移動体が停止あるいは所定の速度以下で移動中にＤＡＴＡレコードおよびＡＣＫレコードの少なくとも一方または双方を受信する。【００２１】
本発明の一態様によれば、データ転送量の多い広帯域の無線通信を利用することができ、移動体の一時停車などの短時間においても所定量のデータの送受信をおこなうことができる。
【図面の簡単な説明】
【００２２】
【図１】本発明のストレージ・ネットワーク・システムの構成例を示す図である。
【図２】本発明の各ストレージの構成例を示すブロック図である。
【図３】本発明のＤＡＴＡレコードおよびＡＣＫレコードの構成例を示す図である。
【図４】本発明のローカル・ストレージにおける処理フローの例を示す図である。
【図５】本発明のユーザ・ストレージにおける処理フローの例を示す図である。
【発明を実施するための形態】
【００２３】
図面を参照しながら本発明の実施の形態を説明する。図１は、ストレージ・ネットワーク・システム１００の構成例を示す図である。図１では、道路１０上を移動体である車両２０が移動（走行）する場合を例示している。車両２０には、４輪の自動車のみならず２輪のオートバイ、自転車なども含まれ得る。また、車両以外の人なども移動体に含まれる。道路１０の沿線には、信号機１２、１６、パーキング（ＰＫ）１４、ガソリンスタンド（ＧＳ）１８などの車両１０が停止あるいは減速する設備等が設置されている。なお、本開示で使用する「ストレージ」は、単にデータを保管する記憶手段（ＨＤＤ、テープドライブ、半導体メモリ等）のみならず、保管するデータを管理、送受信等する機能をも備えた装置を意味する。その具体的な構成は後述する。
【００２４】
ストレージ・ネットワーク・システム１００は、道路１０に沿って配置された複数のデータ回収ストレージ３０、３２、３４、３６と、通信ネットワーク４０と、ユーザ・ストレージ６０、６２とを含む。車両１０は、ローカル・ストレージ（図２の３１０あるいは３７０）を備え、そのローカル・ストレージは、ストレージ・ネットワーク・システム１００の一部として機能することができる。データ回収ストレージ３０〜３６は、主に図１に例示した信号機１２、１６等の車両１０が停止あるいは減速する設備等が設置された場所の近くに設置される。
【００２５】
通信ネットワーク４０は、複数のデータ回収ストレージ３０〜３６およびユーザ・ストレージ６０、６２と通信可能な複数のクラウド・ストレージ５０、５２、５４、５６を含む。各クラウド・ストレージは他のクラウド・ストレージと相互に通信することができる。図１では、破線の各々が通信経路を意味する。通信経路は、無線、有線のいずれによっても構成可能である。車両１０のローカル・ストレージと各データ回収ストレージとの通信は、通常無線通信であるが、パーキング（ＰＫ）１４やガソリンスタンド（ＧＳ）１８などにおいて、通信ケーブルを用いて有線で通信することを排除するものではない。
【００２６】
図１のストレージ・ネットワーク・システム１００における各ストレージ間の通信の概要は以下の通りである。車両２０は、走行しながら内蔵する各種センサで検出したセンサデータをローカル・ストレージに保管していく。車両２０は、信号１６の手前で停止し、ローカル・ストレージに蓄積したセンサデータを無線通信により近くにあるデータ回収ストレージ３４に送信する。送信されるセンサデータの形式については後述する。この場合、車両２０は停止しているので、データ転送量の多い短距離で広帯域の無線通信を利用することができる。なお、車両２０は、完全に停止しいている間だけではなく、所定の速度以下（例えば１０ｋｍ／ｈ以下）で徐行している場合にも、センサデータを送信することができる。これにより、信号待ちのような短時間であっても所定量のセンサデータをまとめて送信することが可能となる。一度に送信できなかったセンサデータは、走行途上で次のデータ回収ストレージ（図１では例えば３６）に送信される。これにより、センサデータを各データ回収ストレージに分散して保管することができ、データ保管の冗長性、安全性を担保することが可能となる。
【００２７】
センサデータを受信したデータ回収ストレージ３４は、センサデータを保管すると同時に受信したことを示すＡＣＫデータを車両２０のローカル・ストレージに送信する。送信されるＡＣＫデータの形式については後述する。車両２０のローカル・ストレージは、受信したＡＣＫデータを保管する。ローカル・ストレージは、ＡＣＫデータを受信した後に、送信したセンサデータを削除することができる。これにより、ローカル・ストレージでのセンサデータの保管量を低減し、オーバーフローしてしまうような事態を回避することができる。
【００２８】
データ回収ストレージ３４は、受信したセンサデータを蓄積しながら、必要に応じてあるいは所定のタイミングで、蓄積したセンサデータを通信ネットワーク４０内のクラウド・ストレージ（例えば５０）に送信する。ここで、「必要に応じて」とは、例えば、通信ネットワーク４０を介したユーザ・ストレージ６０、６２からのデータ送信の要求があった時を意味する。「所定のタイミング」とは、例えば、予め設定された時間ごとや蓄積データ量ごと等を意味する。
【００２９】
クラウド・ストレージ（例えば５０）は、受信したセンサデータを保管し、必要に応じてあるいは所定のタイミングで、保管したセンサデータを通信ネットワーク４０内の他のクラウド・ストレージ（例えば５４、５６等）に送信することができる。ここで、「必要に応じて」と「所定のタイミング」の意味は、上述した例示と同様である。この場合、特定のクラウド・ストレージをいわゆるデータセンターと位置付けて、そこに各クラウド・ストレージからの、言い換えれば各データ回収ストレージからのセンサデータを集約して蓄積（コピー）するようにしてもよい。これにより、ユーザ・ストレージ６０、６２からのデータ送信の要求等に対して迅速に対応することが可能となる。
【００３０】
ユーザ・ストレージ６０、６２は、通信ネットワーク４０内のクラウド・ストレージ（例えば５６、５４）と通信して、各データ回収ストレージあるいはクラウド・ストレージに保管されている必要なセンサデータを検索および受信する。
【００３１】
図２は、本発明の各ストレージ、すなわち、データ回収ストレージ３０〜３６、クラウド・ストレージ５０〜５６、ユーザ・ストレージ６０、６２、および車両２０内のローカル・ストレージの基本的な構成例を示すブロック図である。各ストレージは、バス３３０を介して相互に接続された演算処理装置（ＣＰＵ）３００、記憶手段３１０、各種Ｉ／Ｆ３２０を含む。各種Ｉ／Ｆ３２０は、入力Ｉ／Ｆ、出力Ｉ／Ｆ、外部記憶Ｉ／Ｆ、外部通信Ｉ／Ｆ等を含む総称として用いられ、各Ｉ／Ｆが、それぞれ対応するキーボード、マウス、テンキー等の入力手段３４０、ＣＲＴ、ＬＣＤ等の表示手段３５０、通信手段３６０、ＵＳＢあるいはＬＡＮ接続の半導体メモリ、ＨＤＤ、テープドライブ等の外部記憶手段３７０に接続する。
【００３２】
記憶手段３１０は、ＲＡＭ、ＲＯＭ等の半導体メモリ、ＨＤＤ等を含む。記憶手段３１０は、保管される対象（データ）に応じて複数の記憶部（保管部）を設定することができる。例えば、ローカル・ストレージやユーザ・ストレージの場合は、センサデータとＡＣＫデータとで保管部を分けて、それぞれでデータを管理することもできる。その際、物理的に２つの記憶手段を設けることができ、あるいは１つの記憶手段において２つの記憶域を設定することもできる。
【００３３】
演算処理装置３００は、所定のソフトウェアを実行することにより、記憶手段３１０に保管されるデータや通信手段３６０を介して送受信するデータなどの管理、制御あるいは入力手段３４０により入力された情報や表示手段３５０に表示する情報などの制御をおこなう。ローカル・ストレージの演算処理装置３００は、各種センサを制御してセンサデータを取得して、所定のフォーマットのデータ形式で記憶手段３１０に保管させる機能も有する。
【００３４】
図３を参照しながら、本発明のセンサデータとＡＣＫデータの形式（フォーマット）について説明する。図３は、本発明のＤＡＴＡレコードおよびＡＣＫレコードの構成例を示す図である。本発明では、センサデータとＡＣＫデータとが、それぞれＤＡＴＡレコードとＡＣＫレコードとして、各ストレージにおいて保管され、かつ各ストレージ間で送受信される。図３の（ａ）は、ＤＡＴＡレコードの一実施形態の形式を示す。ＤＡＴＡレコードは、データかＡＣＫかの種別を表すＭａｒｋと、データの所有者Ｈ、データの取得位置（緯度、経度）Ｐ、データの生成（取得）時刻Ｔ、および生成（取得）したセンサデータＤａｔａから構成される。ＤＡＴＡレコードは、（ＤＡＴＡ、Ｈ、Ｐ、Ｔ、Ｄ）と表記することができる。各ＤＡＴＡレコードは、（ａ）に示されるように、通常は記憶手段３１０のセンサデータ（ＤＡＴＡレコード）専用の記憶部に順次蓄積される。
【００３５】
図３の（ｂ）は、ＡＣＫレコードの一実施形態の形式を示す。ＡＣＫレコードは、データかＡＣＫかの種別を表すＭａｒｋと、データの所有者Ｈ、データの生成（取得）位置（緯度、経度）Ｐ、データの生成（取得）時刻Ｔ、およびストレージＩＤを表すＲから構成される。ストレージＩＤは、例えばインターネット上で利用されるＩＰアドレス（ＩＰＶ６等）を用いることができるが、これに限定されず、任意の規格により設定することができる。ストレージ毎に１つの固有のＩＤが割り当てられるようにすればよい。ＡＣＫレコードは、（ＡＣＫ、Ｈ、Ｐ、Ｔ、Ｒ）と表記することができる。各ＡＣＫレコードは、（ｂ）に示されるように、通常は記憶手段３１０のＡＣＫデータ（ＡＣＫレコード）専用の記憶部に順次蓄積される。
【００３６】
図３の（ｃ）は、ＤＡＴＡレコードとＡＣＫレコードが、記憶手段３１０の１つの記憶部に混在して順次蓄積される場合の例を示す。この場合、ＡＣＫレコードがＤＡＴＡレコードと一体となって、言い換えればＤＡＴＡレコードと同様に保管され、送受信される。記憶手段３１０のＡＣＫデータ専用の記憶部が容量的に一杯になりそうな場合、あるいは所定の記憶容量を超えた場合に、センサデータ専用の記憶部に順次ＡＣＫレコードが保管されていくような場合にこうした形態（ｃ）での保管および送受信が行われる。なお、図３に例示したＤＡＴＡレコードとＡＣＫレコードの形式はあくまで一例であって、センサデータの種別や特性などに応じて、他のパラメータを追加あるいは他のパラメータへ変更した形式を採用することも可能である。
【００３７】
次に、図４と図５を参照しながら本発明における処理フローについて説明する。図４は、本発明のローカル・ストレージにおける処理フローの例を示す図である。図５は、本発明のユーザ・ストレージにおける処理フローの例を示す図である。各図のフローは、対応するストレージの演算処理装置３００が実行する所定のソフトウェアにより実施される。
【００３８】
図４のステップＳ１において、移動体（例えば図１の車両２０）が所定速度以上で移動中か否かを判定する。所定速度は、明らかにデータ転送量の多い短距離で広帯域の無線通信を利用することができないような比較的早い速度を意味する。この判定がＮｏである、すなわち移動体が所定速度以下である場合、次のステップＳ２で、移動体が所定速度以下あるいは停止しているか否かを判定する。この場合の所定速度は、既に例示した例えば１０ｋｍ／ｈ以下であり、データ転送量の多い短距離で広帯域の無線通信を利用することができる速度として設定される。図１の例では、車両２０が信号機１２、１６等に近づいて減速あるいは停止している状態が該当する。なお、ステップＳ１とＳ２を１つのステップとして一度に判定するようにしてもよい。
【００３９】
ステップＳ２の判定がＹｅｓの場合、次のステップＳ３において、データ回収ストレージＧ（例えば図１の３０〜３６）が近くにあるかを判定する。具体的には、例えば、既にナビゲーション用の地図データベース上に登録されているデータ回収ストレージＧの位置と移動体との距離をＧＰＳを用いて算出し、その距離が所定距離以内であるか否かを判定することによって、あるいはデータ回収ストレージＧが発信する所定信号を所定の受信感度以上で受信できるか否か等によって判定する。この判定がＹｅｓの場合、次のステップＳ４において、データ回収ストレージＧとの無線接続を確立する。無線通信の確立後、ステップＳ５において、データ回収ストレージＧからＡＣＫレコードを受信する。ＡＣＫレコードの内容については既に述べた通りであり、無線通信を確立した位置Ｐ、時間Ｔ、データ回収ストレージＧのＩＤ等を含むＡＣＫレコードが受信される。ただし、ここではＡＣＫレコードを記憶手段には保持せず、ＤＲＡＭ等に一時的に保持するだけに留める。後のステップにおいてＤＡＴＡレコードの送信（転送）が完了したことの確認後に保管させるためである。
【００４０】
ステップＳ６において、データ回収ストレージＧへ向けてＤＡＴＡレコードの転送を開始する。ＤＡＴＡレコードの内容については既に述べた通りであり、センサデータを生成（取得）した位置Ｐ、時間Ｔ、センサデータＤ等を含むＤＡＴＡレコードが送信される。ステップＳ７において、データ回収ストレージＧへ向けてＤＡＴＡレコードの転送を開始する。ステップＳ７において、データ回収ストレージＧへ向けてのＤＡＴＡレコードの転送を継続する。すなわち、ＤＡＴＡレコードを順次送信していく。送信するＤＡＴＡレコードは、記憶手段に保管されている全てのデータでなくてもよく、任意に選択された所定のデータ単位で送信することができる。
【００４１】
次のステップＳ８において、データ回収ストレージＧへのＤＡＴＡレコードの転送が完了したか否かを判定する。この判定がＹｅｓの場合、ステップＳ１０において、ステップＳ５において受信し一時的に保持しているＡＣＫレコードを記憶手段に保管する。ステップＳ８の判定がＮｏの場合、ステップＳ９において、データ回収ストレージＧとの間の無線通信が切断したか否かを判定する。この判定がＮｏの場合は、ステップＳ７に戻り、ＤＡＴＡレコードの転送を継続する。ステップＳ９の判定がＹｅｓの場合、ステップＳ１０に進み、同様に一時的に保持しているＡＣＫレコードを記憶手段に保管する。
【００４２】
ステップＳ１１において、ＡＣＫレコード用の記憶手段（記憶域）に保管されているＡＣＫレコードが満杯あるいは所定容量以上であるか否かを判定する。この判定のイメージは、既に説明した図３（ｂ）のＡＣＫレコードの表形式の蓄積データが一杯になり、さらにＡＣＫレコードを入れ込む余裕がない状態であるかを判定することである。この判定がＹｅｓの場合、ステップＳ１２において、ＡＣＫレコードをＤＡＴＡレコードの記憶手段（記憶域）に移動させる。この異動後のＡＣＫレコードのイメージは、既に説明した図３（ｃ）のＤＡＴＡレコードとＡＣＫレコードが、１つの記憶手段（記憶域）に混在して蓄積されている状態である。ステップＳ１１の判定がＮｏの場合あるいはステップＳ１２の処理後は、ステップＳ１３において、データ回収ストレージＧへ転送（送信）されたＤＡＴＡレコードがその記憶域から削除される。これにより、ＤＡＴＡレコード用の記憶手段（記憶域）のデータ保管量を低減することができる。
【００４３】
図５の説明に移って、ステップＳ２０において、ユーザ・ストレージ（例えば図１の６０、６２）は、ローカル・ストレージあるいはクラウド・ストレージから蓄積されているＡＣＫレコードを取得する。具体的には、移動体のローカル・ストレージから、あるいはデータ回収ストレージＧからＡＣＫレコードの転送を受けているクラウド・ストレージから無線あるいは有線の通信によりＡＣＫレコードを取得する。例えば、移動体のローカル・ストレージからは、無線ＬＡＮによるストレージ内のファイル共有によって、あるいはＵＳＢメモリのような記憶媒体を介してＡＣＫレコードを取得（コピー）する。なお、ＡＣＫレコードを収集して配布する公衆のクラウド・ストレージが存在する場合は、その公衆のクラウド・ストレージからＡＣＫレコードを取得するようにしてもよい。その場合は、ＷｅｂブラウザでＰＤＦを読むときのように、例えばＨＴＴＰによるダウンロードをトリガーとしてＡＣＫレコードを取得することができる。
【００４４】
ステップＳ２１において、ローカル・ストレージから新たに取得したＡＣＫレコードがあるか否かを判定する。この判定がＮｏの場合、ステップＳ２２において、既にユーザ・ストレージの記憶手段に保管されているＤＡＴＡレコードおよびＡＣＫレコードについての所望な処理を行う。具体的には、各レコードから必要なデータを抜き出して、時系列なセンサデータの統計処理や分析処理などを行う。
【００４５】
ステップＳ２１の判定がＹｅｓの場合、ステップＳ２３において、取得し記憶手段に保管したＡＣＫレコードを取り出す（呼び出す）。取り出し後は、そのＡＣＫレコードを記憶手段から削除することができる。ステップＳ２４において、取り出したＡＣＫレコード（ＡＣＫ、Ｈ、Ｐ、Ｔ、Ｒ）中のストレージＩＤ（Ｒ）を持つストレージ、すなわちデータ回収ストレージＧに通信ネットワーク（図１の４０）を介して、より具体的には通信ネットワーク内のクラウド・ストレージ（図１の５０〜５６）を経由して接続（アクセス）する。
【００４６】
次のステップ２５において、取り出したＡＣＫレコード（ＡＣＫ、Ｈ、Ｐ、Ｔ、Ｒ）中のＨ（データの所有者）、Ｐ（データの取得位置）、およびＴ（データの取得時刻）のいずれか１つあるいは２つ以上と同じＨ、Ｐ、またはＴを持つＡＣＫレコードおよびＤＡＴＡレコードをデータ回収ストレージＧから取得する。その際、ワイルドカード（＊）を用いて取得するレコードを検索（特定）する。ここで、ワイルドカード（＊）とは、（＊）で指示されるパラメータの全てのデータが一致する（取得対象となる）ことを意味する。例えば、あるデータの所有者Ｈ１に関する全てのセンサデータを取得する場合は、（ＤＡＴＡ、Ｈ１、＊、＊、＊）を一種の検索コマンドとして、このコマンドに一致する全てのＤＡＴＡレコードを取得する。あるいは、ある位置Ｐ１での全てのセンサデータを取得する場合は、（ＤＡＴＡ、＊、Ｐ１、＊、＊）を検索コマンドとして、このコマンドに一致する全てのＤＡＴＡレコードを取得する。
【００４７】
なお、既に述べたように、これらのコマンドに一致するＤＡＴＡレコードは、データ回収ストレージＧから転送されたクラウド・ストレージ（図１の５０〜５６）のいずれかが保管している場合もあり、その場合はそのクラウド・ストレージから該当するＤＡＴＡレコードを取得することができる。ただし、その場合は、ＡＣＫレコード中のストレージＩＤ（Ｒ）が転送後のクラウド・ストレージのＩＤに変更されている必要がある。そのためには、例えば、ユーザ・ストレージが、通信するクラウド・ストレージＣに対して、特定したデータ回収ストレージＧのストレージＩＤ（Ｒ１）を含むＡＣＫレコードを送信し、当該クラウド・ストレージＣによってそのストレージＩＤ（Ｒ１）が当該クラウド・ストレージＣ１のＩＤ（Ｒ２）に変更されユーザ・ストレージに送信される必要がある。これにより、ユーザ・ストレージは、データ回収ストレージＧに代わってクラウド・ストレージＣからＤＡＴＡレコードを受信することが可能となる。その結果、ユーザ・ストレージによるデータの取得（回収）時間を短縮することが可能となる。
【００４８】
次のステップＳ２６において、取得したＤＡＴＡレコードおよびＡＣＫレコードが記憶手段に保管され、ステップＳ２１に戻った後に実行され得るステップＳ２２において、時系列なセンサデータの統計処理や分析処理などに利用される。また、その戻りループにおいて、ステップＳ２６で取得したＡＣＫレコードを用いて、ステップＳ２１からＳ２５までの処理を同様に行うことができる。
【００４９】
本発明の実施形態について、図を参照しながら説明をした。しかし、本発明はこれらの実施形態に限られるものではない。さらに、本発明はその趣旨を逸脱しない範囲で当業者の知識に基づき種々なる改良、修正、変形を加えた態様で実施できるものである。
【符号の説明】
【００５０】
１０  道路
２０  車両
３０、３２、３４、３６  データ回収ストレージ
４０  通信ネットワーク
５０、５２、５４、５６  クラウド・ストレージ
６０、６２  ユーザ・ストレージ
１００  ストレージ・ネットワーク・システム
【図１】
2013094275.tif 000003
【図２】
2013094275.tif 000004
【図３】
2013094275.tif 000005
【図４】
2013094275.tif 000006
【図５】
2013094275.tif 000007
【手続補正書】
【提出日】平成26年8月27日(2014.8.27)
【手続補正１】
【補正対象書類名】特許請求の範囲
【補正対象項目名】請求項１
【補正方法】変更
【補正の内容】
【請求項１】
ストレージ・ネットワーク・システムであって、
移動体の進行経路に沿って配置された複数のデータ回収ストレージであって、各データ回収ストレージは、前記移動体から受信したＤＡＴＡレコードを保管し、当該ＤＡＴＡレコードの受信に応じてストレージＩＤを含むＡＣＫレコードを前記移動体に送信する、複数のデータ回収ストレージと、
通信ネットワークを介して前記複数のデータ回収ストレージと通信可能なユーザ・ストレージであって、前記移動体から前記ＡＣＫレコードを受信し、当該受信した前記ＡＣＫレコード中の前記ストレージＩＤを用いて特定された少なくとも１つのデータ回収ストレージから、少なくとも１つの前記ＤＡＴＡレコードを受信して保管することができるユーザ・ストレージと、を備えるストレージ・ネットワーク・システム。
【国際調査報告】
2013094275.tif 000008
2013094275.tif 000009